(57)【要約】【課題】操作パネル上に１つのチャンネルに関するパラメータを呼び出す作業の操作性を向上させる。【解決手段】ミキサ１００は、割り当てられたミックスｃｈへのセンドレベルを調整するエンコーダ１１と、エンコーダに割り当てるミックスｃｈを選択するミックスセンドセレクトキー１２と、割り当てられたミックスｃｈのパラメータを調整するセレクテッドｃｈセクション１４と、セレクテッドｃｈセクション１４に割り当てるミックスｃｈを選択するミックスセルキー１３がある。リンク機能がオンのときは、ミックスセンドセレクトキーの操作に応じて、選択されたミックスｃｈをエンコーダとセレクテッドｃｈセクション１４に割り当て、また、ミックスセルキーの操作に応じて、選択されたミックスｃｈをセレクテッドｃｈセクション１４とエンコーダに割り当てる。【選択図】図２
2008211745.tif 000002
【特許請求の範囲】
【請求項１】
複数チャンネルのオーディオ信号を処理するミキシング装置であって、
操作パネル上に、
１つのチャンネルが割り当てられ、該割り当てられたチャンネルのパラメータを調整する第１の操作部と、
１つのチャンネルが割り当てられ、該割り当てられたチャンネルの前記パラメータとは別種のパラメータを調整する第２の操作部と、
前記第１の操作部に割り当てるチャンネルを選択するための第１の選択操作子と、
前記第２の操作部に割り当てるチャンネルを選択するための第２の選択操作子と
を有し、
前記第１の選択操作子の操作に応じて、選択されたチャンネルを第１の操作部に割り当てる処理を実行する第１の割り当て手段と、
前記第２の選択操作子の操作に応じて、選択されたチャンネルを第２の操作部に割り当てる処理を実行する第２の割り当て手段と、
前記第１の選択操作子の操作によって選択されたチャンネルを前記第２の操作部に割り当てるリンク割り当て制御を実行し、また、前記第２の選択操作子の操作によって選択されたチャンネルを前記第１の操作部に割り当てるリンク割り当て制御を実行するリンク割り当て制御手段と
を具えることを特徴とするミキシング装置。
【請求項２】
前記リンク割り当て制御手段によるリンク機能のオンオフを切り替えるリンクオンオフ操作子を更に備え、
前記リンク機能がオンに設定されている場合には、前記リンク割り当て制御手段によるリンク割り当て処理を実行し、前記リンク機能がオフに設定されている場合には、前記リンク制御手段によるリンク割り当て処理を実行しないことを特徴とする請求項１に記載のミキシング装置。
【請求項３】
前記リンクオンオフ操作子の操作によってリンク機能の設定がオンに切り替えられたときに、前記第１又は第２の操作部のいずれか一方に現在割り当てられているチャンネルを確認し、該確認したチャンネルを前記第１又は第２の操作部の他方に割り当てる処理を実行する切り替え制御手段を更に具えることを特徴とする請求項２に記載のミキシング装置。
【請求項４】
前記リンクオンオフ操作子は、前記リンク機能のオンオフ設定の他に、第１のリンク割り当て制御と第２のリンク割り当て制御の２種類の設定状態を選択可能であり、
前記第１のリンク割り当て制御が選択された場合は、前記リンク制御手段は前記第１の選択操作子の操作があったときにだけリンク割り当て処理を実行し、前記第２のリンク割り当て制御が選択された場合は、該リンク制御手段は前記第２の選択操作子の操作があったときにだけリンク割り当て処理を実行することを特徴とする請求項２又は３に記載のミキシング装置。
【発明の詳細な説明】
【技術分野】
【０００１】
この発明は、複数チャンネル分のディジタルオーディオ信号をミキシング処理するミキシング装置に関し、詳しくは、操作パネルへのパラメータ割り当て制御に関する。
【背景技術】
【０００２】
オーディオミキサ（ミキシング装置）は、複数チャンネル分のオーディオ信号に対して、ミキシング処理や効果付与処理などの信号処理を行う装置である。近年では、内部的な信号処理をディジタル処理で行うディジタルオーディオミキサが普及している。ディジタルミキサには、操作子群や各種機能毎の制御画面等の各種情報を表示する表示器等が配置された操作パネルが備えられており、操作者（ユーザ）は該操作パネルにおいて信号処理のパラメータ設定等の各種操作を行うことができた。従来から知られるディジタルオーディオミキサには、例えば、下記非特許文献１に記載された本出願人が販売するディジタルオーディオミキサ（「商品名ＰＭ５Ｄ」）がある。
【０００３】
前記下記非特許文献１に記載のミキサの操作パネル上には、機能単位で操作子群をまとめたセクションが複数ある。該セクションの１つであるインプットセクションには、複数の入力チャンネル（以下「入力ｃｈ」と記す）毎のパラメータを調整する操作子群がまとめられており、該操作子群にはフェーダ操作子やエンコーダが含まれる。入力ｃｈ毎のエンコーダは、当該入力ｃｈの信号を後段のミックスチャンネル（以下「ミックスｃｈ」と記す」）に対して送出するレベル（センドレベル）を調整する操作子である。また、別のセクションとしてエンコーダモードセクションがあり、ここには、複数のミックスｃｈの各々に対応するミックスセンドセレクトキーがある。該ミックスセンドセレクトキーのいずれかが押されると、該押されたキーに対応するミックスｃｈに対するセンドレベルのパラメータがインプットセクションの各エンコーダに割り当てられる。操作者は、該押されたキーに対応するミックスｃｈに対するセンドレベルを、インプットセクションの各エンコーダを用いて、各入力ｃｈ毎に調整することができる。
【０００４】
また、前記セクションの１つにミックスセクションがある。ミックスセクションには、複数のミックスｃｈの各々に対応するミックスセルキーが配備されている。いずれか１つのミックスセルキーが押されると、押されたキーに対応するミックスｃｈが、次に述べるセレクテッドｃｈセクション（以下、「セレクテッドｃｈセクション」）に割り当てられる。セレクテッドｃｈセクションは、当該セクションに割り当てられた１つのミックスｃｈのパラメータを詳細に調整するための操作子が複数個配備されたセクションである。操作者は、前記ミックスセルキーの操作によりセレクテッドｃｈセクションに割り当てたミックスｃｈのパラメータを該セレクテッドｃｈセクションの操作子群を用いて調整することができる。
【０００５】
操作者は、入力ｃｈから当該ミックスｃｈへのセンドレベルについては、ミックスセンドセレクトキーを使って所望のミックスｃｈへのセンドレベルをインプットセクションの各エンコーダに割り当てる。また、或るミックスｃｈのセンドレベル以外のパラメータについては、操作者はミックスセルキーを使って所望のミックスｃｈをセレクテッドｃｈセクションに割り当てる。すなわち、従来から知られるミキサの操作パネルにおいては、ミックスセンドセレクトキーとミックスセルキーとが、それぞれ別のセクションに配備され、エンコーダに割り当てるミックスバスの選択と、セレクテッドｃｈセクションに割り当てるミックスｃｈの選択とを別々のキーを用いて行っていた。従って、或る１つのミックスｃｈのパラメータ（当該ミックスｃｈに対するセンドレベルとその他のパラメータ）とを操作パネル上に呼び出すには、ミックスセンドセレクトキーの操作とミックスセルキーの操作との２つの作業が必要だった。
【０００６】
このように、従来のミキサにおいては、１つのミックスｃｈに関するパラメータを操作パネル上へ呼び出すために複数の作業が必要だったため、その作業に手間がかかっていた。また、ミックスセルキーとミックスセンドセレクトキーというそれぞれ異なるセクションに配備された異なるキーを操作しなければならなかったので、セレクテッドｃｈセクションとインプットセクションに同じミックスｃｈを呼び出したい場合に、呼び出すべきミックスｃｈを間違えてしまう可能性が低くない。すなわち、ミックスセルキーとミックスセンドセレクトキーとでそれぞれ違うミックスｃｈを選択してしまう恐れがあった。
【非特許文献１】http://www2.yamaha.co.jp/manual/pdf/pa/japan/mixers/PM5DJ1.pdf
【発明の開示】
【発明が解決しようとする課題】
【０００７】
この発明は上述の点に鑑みてなされたもので、操作パネル上に１つのチャンネルに関するパラメータを呼び出す作業の操作性を向上させたミキシング装置を提供することを目的とする。
【課題を解決するための手段】
【０００８】
この発明は、複数チャンネルのオーディオ信号を処理するミキシング装置であって、操作パネル上に、１つのチャンネルが割り当てられ、該割り当てられたチャンネルのパラメータを調整する第１の操作部と、１つのチャンネルが割り当てられ、該割り当てられたチャンネルの前記パラメータとは別種のパラメータを調整する第２の操作部と、前記第１の操作部に割り当てるチャンネルを選択するための第１の選択操作子と、前記第２の操作部に割り当てるチャンネルを選択するための第２の選択操作子とを有し、前記第１の選択操作子の操作に応じて、選択されたチャンネルを第１の操作部に割り当てる処理を実行する第１の割り当て手段と、前記第２の選択操作子の操作に応じて、選択されたチャンネルを第２の操作部に割り当てる処理を実行する第２の割り当て手段と、前記第１の選択操作子の操作によって選択されたチャンネルを前記第２の操作部に割り当てるリンク割り当て処理を実行し、また、前記第２の選択操作子の操作によって選択されたチャンネルを前記第１の操作部に割り当てるリンク割り当て処理を実行するリンク割り当て制御手段とを具えることを特徴とする。
【０００９】
この発明によれば、第１の選択操作子が操作されたときには、第１の割り当て手段により該第１の選択操作子により選択されたチャンネルを第１の操作部に割り当てると共に、リンク割り当て制御手段により、前記第１の選択操作子の操作によって選択されたチャンネルを第２の操作部にも割り当てることができる。また、第２の選択操作子が操作されたときには、第２の割り当て手段により、該第２の選択操作子により選択されたチャンネルを第２の操作部に割り当てると共に、リンク割り当て制御手段により、前記第２の選択操作子の操作によって選択されたチャンネルを第１の操作部にも割り当てることができる。
【００１０】
また、この発明に係るミキシング装置は、リンク割り当て制御手段によるリンク機能のオンオフを切り替えるリンクオンオフ操作子を更に備えることで、リンク機能がオンに設定されている場合にはリンク割り当て制御手段によるリンク割り当て処理を実行し、前記リンク機能がオフに設定されている場合にはリンク割り当て制御手段によるリンク割り当て処理を実行しないよう構成することができる。
また、この発明に係るミキシング装置は、前記リンクオンオフ操作子の操作によってリンク機能の設定がオンに切り替えられたときに、第１又は第２の操作部のいずれか一方に現在割り当てられているチャンネルを確認し、該確認したチャンネルを第１又は第２の操作部の他方に割り当てる処理を実行する切り替え制御手段を更に具えることで、リンク機能の設定がオンに切り替えられたときに、第１及び第２の操作部に割り当てられているチャンネルを一致させることができる。
【００１１】
更に、この発明に係るミキシング装置において、リンクオンオフ操作子は、リンク機能のオンオフ設定の他に、リンク機能のオンオフ設定の他に、第１のリンク割り当て制御と第２のリンク割り当て制御の２種類の設定状態を選択可能であってもよい。第１のリンク割り当て制御が選択された場合は、リンク割り当て制御手段は第１の選択操作子の操作があったときにだけリンク割り当て処理を実行し、第２のリンク割り当て制御が選択された場合は、リンク割り当て制御手段は第２の選択操作子の操作があったときにだけリンク割り当て処理を実行する。
【発明の効果】
【００１２】
この発明に係るミキシング装置によれば、リンク割り当て制御手段により、第１の選択操作子又は第２の選択操作子の何れか一方の操作するだけで、該操作により選択されたチャンネルを第１及び第２の操作部の両方に割り当てることができるので、１つのチャンネルに関するパラメータを、１つのキー操作だけで、簡単且つ確実に、操作パネル上へ呼び出すことができるようになる。従って、操作パネル上へ１つのチャンネルに関するパラメータを呼び出す作業の操作性が向上するという優れた効果を奏する。また、リンク機能として、リンク機能のオンオフ設定の他に、第１のリンク割り当て制御と第２のリンク割り当て制御の２種類の設定状態を選択可能とすることで、第１の選択操作子又は第２の選択操作子の操作に応じて、操作パネル上へ呼び出すパラメータの範囲を選択でき、作業の利便性の向上をもたらすという優れた効果を奏する。
【発明を実施するための最良の形態】
【００１３】
以下、この発明の一実施例について図面を参照して詳細に説明する。
【００１４】
図１はこの発明の一実施例に係るディジタルオーディオミキサの電気的ハードウェア構成例を示すブロック図である。図１に示す通り、ミキサ１００は、ＣＰＵ１、フラッシュメモリ２、ＲＡＭ３、波形入出力インターフェース（波形Ｉ／Ｏ）４、信号処理部５、レコーダ６、表示器７、電動フェーダ８及び操作子９を含み各部がバス１Ｂを介して接続される。また、ミキサ１００は、その他Ｉ／Ｏ１０を介して当該ミキサ１００をリモート制御するＰＣなど、その他適宜の外部機器と接続することができてよい。
【００１５】
ＣＰＵ１は、フラッシュメモリ２又はＲＡＭ３に記憶された制御プログラムを実行し、当該ミキサ１００の全体的な動作を制御する。また、フラッシュメモリ２には、ミキシング処理や効果付与処理等の信号処理に用いる各種パラメータの現在の設定値を記憶するカレントバッファが設けられている。
【００１６】
ミキサ１００と外部音響機器との間でのオーディオ信号の入出力は波形Ｉ／Ｏ４を介して行われる。波形Ｉ／Ｏ４は、ＡＤ変換器を含むアナログ入力ポート、ＤＡ変換器を含むアナログ出力ポート及びディジタル入出力ポートを含む。信号処理部５は、ＤＳＰにより構成され、ディジタルオーディオ信号のミキシングや効果付与処理等の信号処理を行う。レコーダ６にはディジタルオーディオ信号を記録することができる。波形Ｉ／Ｏ４、信号処理部５及びレコーダ６の間ではディジタルオーディオ信号を通信することができる。
【００１７】
ミキサ１００の操作パネル上には、例えば液晶表示ディスプレイにより構成される表示器７や、複数のチャンネルストリップ毎に設けられた電動フェーダ８や、その他多数のエンコーダやスイッチ類（操作子９）が具備されている。表示器７は、各種動作モードに応じた各種制御画面を表示する。表示器７に表示される該各種制御画面上には、各種操作を操作者から受け付けるＧＵＩ部品（操作子画像など）が含まれる。操作者は、表示器７に表示された各種ＧＵＩ部品や、電動フェーダ８乃至操作子９を用いて、ミキシング処理の各種パラメータの設定値を調整したり、ミキサ１００の動作モードの設定値を切り替えたりすることができる。また、電動フェーダ８にはモータが内蔵されており、操作つまみの操作位置が自動制御されうる。
【００１８】
図２は、操作パネルの構成の説明するためのブロック図である。操作パネル上には、機能単位で操作子群等の部品をまとめたセクションが複数あり、複数の操作子が該セクション毎に区切って配置されている。インプットセクション１１は、入力ｃｈの主なパラメータを調整するための操作子群をまとめたセクションである。インプットセクション１１には、複数本のチャンネルストリップが設けられており、１つのチャンネルストリップには１つの入力ｃｈが割り当てられる。該インプットセクション１１のチャンネルストリップ毎に、当該チャンネルストリップに割り当てられた入力ｃｈのオーディオ信号の音量レベルを調整するフェーダ（図１の電動フェーダ８）やエンコーダ等の操作子群が設けられている。エンコーダには、予め定められた複数種類のパラメータのうちの１つを割り当てることができる。エンコーダに割り当て可能なパラメータの１つに、当該入力ｃｈのオーディオ信号を後段のミックスｃｈ（厳密には該ミックスｃｈに対応するミキシングバス）へ送出するレベルを設定するセンドレベルパラメータがある。なお、このエンコーダが請求項１に記載の「第１の操作部」に相当する。
【００１９】
エンコーダモードセクション１２には、インプットセクション１１のエンコーダに割り当てるパラメータを切り替えるためのスイッチがまとめられている。操作者は、該エンコーダモードセクション１２に備わるスイッチを操作して、インプットセクション１１のエンコーダに割り当てるパラメータの種類を切り替えることができる。現在エンコーダに割り当てられているパラメータ種類を表す情報はカレントバッファに格納される。
【００２０】
エンコーダモードセクション１２に備わるスイッチには、エンコーダの制御対象となるパラメータとしてセンドセレクトを割り当てるミックスセンドセレクトキーが含まれる。該ミックスセンドセレクトキーは、インプットセクション１１の各エンコーダに割り当てる１つのミックスｃｈを排他的に選択する機能を基本とする操作子であって、これが請求項１に記載の「第１の選択操作子」に相当する。エンコーダモードセクション１２には、複数のミックスｃｈの１つずつに対応する複数個のミックスセンドセレクトキーが具備さている。インプットセクション１１のエンコーダにセンドレベルが割り当てられた状態で、いずれか１つのミックスセンドセレクトキーが押されると、該押されたキーに該当するミックスｃｈ（厳密には該ミックスｃｈに対応するミキシングバス）へのセンドレベルがインプットセクション１１の各エンコーダの制御対象に割り当てられる。すなわち、インプットセクション１１の各エンコーダには、当該エンコーダに対応する入力ｃｈから該割り当てられたミックスｃｈへ送出するオーディオ信号のセンドレベルのパラメータがそれぞれ呼び出される。ミックスセンドセレクトキーによって選択されたミックスｃｈのデータ（チャンネル番号）は「ミックスセンドセレクト」の設定値としてカレントバッファに格納される。
【００２１】
ミックスセクション１３は、複数のミックスｃｈの各々の主なパラメータを調整するセクションである。ミックスセクション１３には、複数のミックスｃｈの１つずつに対応する複数のミックスセルキーが備わる。ミックスセルキーは、次に述べるセレクテッドｃｈセクション１４へ割り当てる１つのミックスｃｈを排他的に選択する機能を基本とする操作子であって、これが請求項１に記載の「第２の選択操作子」に相当する。いずれか１つのミックスセルキーが押されると、該押されたキーに該当する１つのミックスｃｈがセレクテッドｃｈセクション１４に割り当てられる。ミックスセルキーによって選択されたミックスｃｈのデータ（チャンネル番号）は「ミックスセル」の設定値としてカレントメモリに格納される。
【００２２】
セレクテッドｃｈセクション１４は、割り当てられたミックスｃｈのパラメータを詳細に調整する操作子群をまとめたセクションであって、これが請求項１に記載の「第２の操作部」に相当する。セレクテッドｃｈセクション１４の各操作子には、当該セクション１４に割り当てられた１つのミックスｃｈの各種パラメータが呼び出される。セレクテッドｃｈセクション１４に現在割り当てられているミックスｃｈのチャンネル番号を表すデータはカレントバッファに格納される。なお、ここで、セレクテッドｃｈセクション１４で調整可能なパラメータ群はセンドレベルを含まない（センドレベルとは別種のパラメータである）ことに留意されたい。
【００２３】
また、カーソルセクション１５は、表示器（ＬＣＤ）７に表示される各種画面上に表示される各種ＧＵＩ部品を操作するための操作子を集めたセクションであって、カーソルキー、エンターキー、ロータリーエンコーダあるいはトラックパッド等が備わる。操作者は、カーソルセクション１５の操作子を使って表示器７に表示される各種画面上におけるカーソル操作やデータ入力操作等を行うことができる。
【００２４】
この実施例に係るミキサ１００は、詳しくは後述する通り、ミックスセンドセレクトキーの操作によるミックスｃｈの割り当て処理とミックスセルキーの操作によるミックスｃｈの割り当て処理とをリンク制御する機能（リンク機能）を有することを主要な特徴とするものである。リンク機能は、ミックスセルキーの操作により選択されたミックスｃｈをセレクテッドｃｈセクション１４に割り当てる処理に連動して、該選択されたミックスｃｈをインプットセクション１１の各エンコーダに割り当てる、或いは、ミックスセンドセレクトキーの操作により選択されたミックスｃｈをインプットセクション１１の各エンコーダに割り当てる処理に連動して、該選択されたミックスｃｈをセレクテッドｃｈセクション１４に割り当てる機能である。
【００２５】
この実施例において、前記リンク機能の設定は、表示器７に表示される操作子画「リンクオンオフキー（リンクオンオフ操作子）」を用いて行うことができる。リンクオンオフキーは、表示器７に表示される適宜の制御画面（例えば設定プロパティ画面など）に設けられていてよい。リンクオンオフキーの操作によるリンク機能の設定データは、リンク機能の設定値としてカレントバッファに格納される。なお、リンク機能の設定内容の詳細は後述する。
【００２６】
図３は、信号処理部５が実行するミキシング処理のアルゴリズムの構成例を示すブロック図である。図３において、複数の入力ポート（複数のアナログ入力３０及び複数のディジタル入力３１）の各々は１チャンネル分のオーディオ信号を取り込む。アナログ入力３０は、アナログオーディオ信号を取り込み、該取り込んだ信号をディジタルオーディオ信号に変換する。ディジタル入力３１にはディジタルオーディオ信号が入力される。これら複数の入力ポート３０，３１は図１に示す波形Ｉ／Ｏ４に相当する。入力パッチ３２は、複数の入力ポート３０，３１のそれぞれを後段の複数の入力ｃｈ（図の例でチャンネル番号１ｃｈ〜３２ｃｈの３２本）３３のいずれかへ選択的に接続する。なお、オーディオ信号の入出力ポートと信号処理チャンネルを接続することを本明細書では「パッチ」という。すなわち、入力パッチ３２は１つの入力ｃｈ３３に対して１つの入力ポート３０又は３１をパッチする。
【００２７】
複数の入力ｃｈ３３の各々は、アッテネータ、コンプレッサ、イコライザ、フェーダ或いはパンなど各種信号処理パラメータを具備しており、入力されたオーディオ信号に対して各チャンネルのパラメータ設定に基づく信号処理を行う。複数の入力ｃｈ３３の各々は、また、各ミックスバス３４へのオーディオ信号の出力オンオフを選択する選択部と、各ミックスバス３４に対するセンドレベルを調整するセンドレベル調整部３５を具備する。１つの入力ｃｈ３３には、複数のバス３４（図の例ではバス番号１〜１６の１６本）の各々に対応する複数個（図の例では１６個）の選択部及びセンドレベル調整部３５が具備される。操作者は各入力ｃｈ３３のセンドレベル調整部３５の設定値を前記インプットセクション１１の各エンコーダを用いて調整できる。エンコーダがいずれのバス３４に対応するセンドレベル調整部３５を調整するかは、インプットセクション１１の各エンコーダに割り当てられたミックスｃｈのデータによって特定される。
【００２８】
ミックスバス３４は、前記入力ｃｈ３３から入力された複数のオーディオ信号を混合して、該混合結果を後段のミックスｃｈ３６へ出力する。ミックスｃｈ３６は、複数のミックスバス３４の各々に１対１で対応する複数系統（図３においてチャンネル番号ｃｈ１〜ｃｈ１６の１６本）設けられている。なお、図３においては、ミックスバス３４とミックスｃｈの対応関係が明示されるよう、対応するミックスバス３４とミックスｃｈ３６ではバス番号とチャンネル番号に同じ番号が付与されている。複数のミックスｃｈ３６の各々は、コンプレッサ、フェーダなどの各種信号処理パラメータを具備しており、対応するバス３４から出力されたオーディオ信号に対して各チャンネルのパラメータ設定に基づく信号処理を実行する。図２を参照して説明した通り、操作者は、所望の１つのミックスｃｈ３６をセレクテッドｃｈセクション１４に割り当て、該割り当てたミックスｃｈ３６の各種信号処理パラメータの調整をセレクテッドｃｈセクション１４で行うことができる。
【００２９】
出力パッチ３７は、複数のミックスｃｈ３６の各々の出力を後段の複数の出力ポート（複数のアナログ出力ポート３８又は複数のディジタル出力ポート３９）のいずれかに選択的に接続する。すなわち出力パッチ３７は１つの出力ポート３８又は３９に対して１つのミックスｃｈ３６をパッチする。かくして、各アナログ出力ポート３８又は各ディジタル出力ポート３９からは、信号処理部５（入力ｃｈ３３、ミックスバス３４及びミックスｃｈ３６）で実行された信号処理結果のオーディオ信号が出力される。
【００３０】
図４は、この実施例に係る「リンク機能」の設定の動作手順の一例を説明するためのフローチャートである。操作者は、表示器７に前記リンクオンオフキーを含む制御画面（例えば、設定プロパティ画面等）を呼び出し、該呼び出した制御画面上のリンクオンオフキーを操作して、リンク機能の設定値を変更することができる。リンク機能の設定値には、（１）リンクオン、（２）ミックスセルオン、（３）ミックスセンドセレクトオン、及び（４）リンクオフの４種類があり、前記リンクオンオフキーの操作により、上記４種類のうちのいずれか１つを新たな設定値として選択することができる。これら４種類のリンク機能の各々の動作の概要は下記の通りである。
【００３１】
（１）リンクオンが設定されている場合は、ミックスセルキーの操作にミックスセンドセレクトキーの選択状態をリンクさせ、また、ミックスセンドセレクトキーの操作にミックスセルキーの選択状態をリンクさせる。
（２）ミックスセルオンが設定されている場合は、ミックスセルキーの操作にミックスセンドセレクトキーの選択状態をリンクさせる。一方、ミックスセンドセレクトキーの操作にミックスセルキーの選択状態はリンクしない。
（３）ミックスセンドセレクトオンが設定されている場合は、ミックスセンドセレクトキーの操作にミックスセルキーの選択状態をリンクさせる。一方、ミックスセルキーの操作にミックスセンドセレクトキーの選択状態はリンクしない。
（４）リンクオフが設定されている場合は、リンク機能は機能しない。つまり、ミックスセルキーの操作にミックスセンドセレクトキーの選択状態はリンクせず、また、ミックスセンドセレクトキーの操作にミックスセルキーの選択状態はリンクしない。
【００３２】
リンク機能として、単純なリンク機能のオンオフに加えて、（２）ミックスセルオン及び（３）ミックスセンドセレクトオンを具えることで、ミックスセルキーの操作があったときにだけリンク機能を動作させること、又は、ミックスセンドセレクトキーの操作があったときにだけリンク機能を動作させることの２通りのリンク方向を選択できるようになる。これにより、例えば、ミックスセルオンの場合には、ミックスセルキーの操作により、セレクテッドｃｈセクション１４に当該ミックスｃｈのパラメータを呼び出すと共に、インプットセクション１１の各エンコーダに当該ミックスｃｈへのセンドレベルを呼び出すのに対して、ミックスセンドセレクトキーの操作ではインプットセクション１１の各エンコーダに当該ミックスｃｈへのセンドレベルが呼び出される。ミックスセンドセレクトオンの場合は逆に、ミックスセルキーの操作により、セレクテッドｃｈセクション１４とインプットセクション１１の各エンコーダに当該ミックスｃｈのパラメータを呼び出すのに対して、ミックスセルキーの操作でセレクテッドｃｈセクション１４に当該ミックスｃｈのパラメータのみが呼び出される。つまり、２通りのリンク方向を選択できることで、ミックスセルキー又はミックスセンドセレクトキーの操作に応じて、操作パネル上へ呼び出すパラメータの範囲を適宜に選択できる。なお、（２）ミックスセルオン及び（３）ミックスセンドセレクトオンが請求項４に記載の第１のリンク割り当て制御と第２のリンク割り当て制御の２種類の設定状態に相当する。
【００３３】
図４に示すリンク機能の設定処理は、リンクオンオフキーの操作によりリンク機能の設定値を変更する指示があったときに起動する。リンク機能の設定値の変更指示が検出されたら、ステップＳ１において、カレントバッファに格納されているリンク機能の現在の設定値を、操作者が選択した新たな設定値に書き換える。このカレントバッファの更新が信号処理部５に反映されることで、新たに選択されたリンク機能がアクティブな状態になる。
【００３４】
リンク機能の新たな設定値が（１）リンクオン又は（２）ミックスセルオンの場合（ステップＳ２のＹＥＳ）、ステップＳ３において、カレントバッファに格納されているミックスセルの現在の設定値を読み出す。つまり、現時点のミックスセルキーのミックスｃｈ選択状態を読み出す。ここで、ミックスセルキーにより選択されているミックスｃｈのチャンネル番号は、現在セレクテッドｃｈセクション１４に割り当てられているミックスｃｈのチャンネル番号である。
【００３５】
ステップＳ４において、カレントバッファに格納されているミックスセンドセレクトの現在の設定値に、前記ステップＳ３で読み出したミックスセルの設定値と同じチャンネル番号を上書きする。これにより、ミックスセンドセレクトの設定値に、現在セレクテッドｃｈセクション１４に割り当てられているミックスｃｈのチャンネル番号を設定する。そして、ステップＳ５において、インプットセクション１１の各エンコーダに、前記ステップＳ４で新規に設定したミックスｃｈに対するセンドレベルの値を割り当てる。詳しくは、エンコーダの制御対象のパラメータ種類を表す情報としてカレントバッファに格納されている値を「センドレベル」に設定し、且つ、前記ステップＳ４で新規に設定したミックスｃｈにより、どのミックスｃｈに対するセンドレベルのパラメータが各エンコーダに割り当てられるかを特定する。これにより、各入力ｃｈのエンコーダには、当該入力ｃｈから前記新規に設定されたミックスｃｈへのセンドレベルのパラメータがそれぞれ呼び出される。
【００３６】
上記ステップＳ３〜Ｓ５の処理により、現在セレクテッドｃｈセクション１４に割り当てられているミックスｃｈ（現在ミックスセルキーにより選択されているミックスｃｈ）に、インプットセクション１１の各エンコーダに割り当てるミックスｃｈ（ミックスセンドセレクトキーの選択状態）を一致させることができる。つまり、リンク機能として（１）リンクオン又は（２）ミックスセルオンが新たに設定された時点では、セレクテッドｃｈセクション１４に割り当てられているミックスｃｈと、エンコーダモードセクション１２のミックスセルキーで選択されているミックスｃｈ（エンコーダに割り当てられたセンドレベルのバス番号）とは、別々に設定された値であるため、両者が一致しているとは限らない。そこで、リンク機能が（１）リンクオン又は（２）ミックスセルオンに設定されたときには、ミックスセルキーにより選択されているミックスｃｈにインプットセクション１１の各エンコーダに割り当てるミックスｃｈ（ミックスセンドセレクトキーの選択状態）を合わせておくのである。
【００３７】
また、リンク機能の新たな設定値が、（３）ミックスセンドセレクトオンに更新された場合（ステップＳ６のＹＥＳ）、ステップＳ７において、カレントバッファに格納されているミックスセンドセレクトの現在の設定値を読み出す。つまり、現時点でミックスセンドセレクトキーのミックスｃｈ選択状態を読み出す。ここで、ミックスセンドセレクトキーにより選択されているミックスｃｈのチャンネル番号は、現在インプットセクション１１の各エンコーダに割り当てられているミックスｃｈのチャンネル番号である。
【００３８】
ステップＳ８において、カレントバッファに格納されているミックスセルの現在の設定値に、前記ステップＳ７で読み出したミックスセンドセレクトの設定値と同じチャンネル番号を上書きする。これにより、ミックスセルの現在の設定値に、現在インプットセクション１１の各エンコーダに割り当てられているミックスｃｈのチャンネル番号を設定する。そして、ステップＳ９において、セレクテッドｃｈセクション１４に、前記ステップＳ８で設定したミックスセルの設定値に該当するミックスｃｈを割り当てる。
【００３９】
上記ステップＳ７〜Ｓ９の処理により、現在インプットセクション１１の各エンコーダに割り当てられているミックスｃｈ（現在ミックスセンドセレクトキーにより選択されているミックスｃｈ）に、セレクテッドｃｈセクション１４に割り当てるミックスｃｈ（ミックスセルキーの選択状態）を一致させることができる。
なお、上記ステップＳ３〜Ｓ５及び上記ステップＳ７〜Ｓ９の処理が請求項３に記載の切り替え制御手段に相当する。
【００４０】
図５は、いずれかのミックスセルキーが操作されたときに実行される処理の手順の一例を示すフローチャートである。操作者は、複数のミックスセルキーのうちから所望のミックスｃｈに該当するミックスセルキーを操作することで、ミックスセルの設定値を変更する指示を行う。該ミックスセルの設定値を変更する指示が検出された時に、この処理は起動する。ミックスセルの設定値を変更する指示が検出されると、ステップＳ１０において、カレントバッファに格納されたミックスセルの設定値（チャンネル番号）が、該操作されたミックスセルキーに該当するミックスｃｈのチャンネル番号に更新される。ステップＳ１１では、セレクテッドｃｈセクション１４に割り当てられたミックスｃｈのチャンネル番号としてカレントバッファに格納されたデータを、前記ステップＳ１０で新規に設定されたミックスセルの設定値に応じて更新する。これにより、セレクテッドｃｈセクション１４の各操作子に、該ミックスセルキーの操作により選択されたミックスｃｈの各種信号処理パラメータの設定値を呼び出すことができる。なお、このステップＳ１１の動作は、ミックスセルキーの基本的な機能であって、請求項１に記載の「第２の割り当て手段」に相当する。
【００４１】
ステップＳ１２において、カレントバッファに格納されているリンク機能の設定値を読み出し、読み出した設定値が（１）リンクオン又は（２）ミックスセルオンであれば（ステップＳ１３のＹＥＳ）、ステップＳ１４〜Ｓ１６の処理により、ミックスセンドセレクトの設定値を、前記ステップＳ１０にて設定したミックスセルの設定値と同じチャンネル番号に書き換えることで、インプットセクション１１の各エンコーダに、該ミックスセルの設定値と同じチャンネル番号のミックスｃｈへのセンドレベルを呼び出す。すなわち、該ステップＳ１４〜Ｓ１６の処理により、ミックスセルキーを用いてミックスｃｈの変更を指示するだけで、該ミックスセルキーの操作によって選択されたミックスｃｈをインプットセクション１１の各エンコーダにも割り当てることができる。これらステップＳ１４〜Ｓ１６の処理は請求項１に記載のリンク割り当て制御手段に相当する。なお、ステップＳ１４〜Ｓ１６の動作の詳細事態は、前記図４のステップＳ３〜Ｓ５と同様である。
【００４２】
一方、リンク機能の設定値が（３）ミックスセンドセレクトオン又は（４）リンクオフであれば（ステップＳ１３のＮＯ）、ミックスセルキー操作によるミックスセルの設定値の変更にミックスセンドセレクトの設定値を連動させずに、処理を終了する。
【００４３】
図６は、いずれかのミックスセンドセレクトキーが操作されたときに実行される処理の手順の一例を示すフローチャートである。操作者は、複数のミックスセンドセレクトキーのうちから所望のミックスｃｈに該当するミックスセンドセレクトキーを操作することで、ミックスセンドセレクトの設定値を変更する指示を行う。該ミックスセンドセレクトの設定値を変更する指示が検出された時に、この処理は起動する。ミックスセンドセレクトの設定値を変更する指示が検出されると、ステップＳ１７において、カレントバッファに格納されたミックスセンドセレクトの設定値（チャンネル番号）が、該操作されたミックスセンドセレクトキーに該当するミックスｃｈのチャンネル番号に更新される。ステップＳ１８では、インプットセクション１１の各エンコーダの制御対象のパラメータとして、前記ステップＳ１７で新規に設定されたミックスセンドセレクトの設定値、つまり、ミックスセンドセレクトキーの操作により選択されたミックスｃｈへのセンドレベルが呼び出される。なお、このステップＳ１８の動作は、ミックスセンドセレクトキーの基本的な機能であって、請求項１に記載の「第１の割り当て手段」に相当する。
【００４４】
ステップＳ１９において、カレントバッファに格納されているリンク機能の設定値を読み出し、読み出した設定値が（１）リンクオン又は（３）ミックスセンドセレクトオンであれば（ステップＳ２０のＹＥＳ）、ステップＳ２１〜Ｓ２３の処理により、ミックスセルの設定値を、前記ステップＳ１７にて設定したミックスセンドセレクトの設定値と同じチャンネル番号に書き換えることで、セレクテッドｃｈセクション１４に、該ミックスセンドセレクトの設定値と同じチャンネル番号のミックスｃｈのパラメータを呼び出す。すなわち、該ステップＳ２１〜Ｓ２３の処理により、ミックスセンドセレクトキーを用いてミックスｃｈの変更を指示するだけで、該ミックスセンドセレクトキーの操作によって選択されたミックスｃｈをセレクテッドｃｈセクション１４にも割り当てることができる。これらステップＳ２１〜Ｓ２３の処理は請求項１に記載のリンク割り当て制御手段に相当する。なお、ステップＳ２１〜Ｓ２３の動作の詳細事態は、前記図４のステップＳ７〜Ｓ９と同様である。
【００４５】
一方、リンク機能の設定値が（２）ミックスセルオン又は（４）リンクオフであれば（ステップＳ２０のＮＯ）、ミックスセンドセレクトキー操作によるミックスセンドセレクトの設定値の変更にミックスセルの設定値を連動させずに、処理を終了する。
【００４６】
インプットチャンネルセクション１１の複数のエンコーダのうちの何れかが操作された時の動作について簡単に説明する。複数のエンコーダのうちの何れかが操作されると、該操作されたエンコーダの操作量が検出されて、該操作されたエンコーダに割り当てられたパラメータの設定値がカレントバッファから読み出される。ここで読み出すパラメータは、当該操作されたエンコーダが属する入力ｃｈから現在制御対象に選択されているミックスｃｈへのセンドレベルである。そして、前記検出した操作量だけ、前記読み出したパラメータの値を変更する。すなわち、該操作量に応じて、カレントバッファに格納されている該読み出したパラメータの値を書き替えて、該書き替えたパラメータ設定値を信号処理部５の信号処理に反映させる。なお、ここで処理の対象となっているのは、操作されたエンコーダが属する入力ｃｈから現在制御対象に選択されているミックスｃｈへのセンドレベルのみである。これにより、操作者は任意の入力ｃｈから現在制御対象に選択されているミックスｃｈへのセンドレベルを調整することができる。この実施例に係るミキサ１００においては、リンク機能としてリンクオン又はミックスセルオンが設定されている状態では、現在制御対象のミックスｃｈの選択は、ミックスセルキー又はミックスセンドセレクトキーいずれを用いても行うことができる。
【００４７】
また、セレクテッドｃｈセクション１４を構成する複数の操作子の何れかが操作された時の動作について簡単に説明する。セレクテッドｃｈセクション１４の操作子群のうちの何れかが操作されると、該操作された操作子の操作量が検出される。該操作された操作子の操作量が検出されると、セレクテッドｃｈセクション１４に現在割り当てられているミックスｃｈのチャンネル番号のデータがカレントバッファから読み出される。そして、前記読み出したチャンネル番号に対応するミックスｃｈの信号処理パラメータのうち、前記操作された操作子に該当するパラメータの値を、前記検出した操作量だけ変更する。すなわち、カレントバッファに格納されている前記該当するパラメータの値を書き替え、該書き替えたパラメータの値を信号処理部５の信号処理に反映させる。これにより、操作者は、セレクテッドｃｈセクション１４に現在割り当てられているミックスｃｈの詳細なパラメータを調整することができる。この実施例に係るミキサ１００においては、リンク機能としてリンクオン又はミックスセンドセレクトオンが設定されている状態では、現在制御対象のミックスｃｈの選択は、ミックスセルキー又はミックスセンドセレクトキーいずれを用いても行うことができる。
【００４８】
以上説明した通り、この実施例によれば、リンク機能により、ミックスセルキーの操作によって選択したミックスｃｈを、セレクテッドｃｈセクション１４に割り当てると共に、インプットセクション１１の各エンコーダにも割り当てること、或いは、ミックスセンドセレクトキーの操作により選択したミックスｃｈを、インプットセクション１１の各エンコーダに割り当てると共に、セレクテッドｃｈセクション１４へ割り当てることができるので、１つのキー操作だけで、１つのミックスｃｈに関する詳細なパラメータ群と当該ミックスｃｈに対するセンドレベルとを、簡単且つ確実に、操作パネル上へ呼び出すことができるようになる。従って、ミキサの操作パネル上へ１つのチャンネルに関するパラメータを呼び出す作業の操作性が向上するという優れた効果を奏する。
【００４９】
また、リンク機能として（２）ミックスセルオン及び（３）ミックスセンドセレクトオンを具えることで、ミックスセルキー又はミックスセンドセレクトキーの操作に応じて、操作パネル上へ呼び出すパラメータの範囲を選択でき、作業の利便性の向上をもたらすという優れた効果を奏する。
【００５０】
なお、上記実施例においては、リンク機能の設定値が、（１）リンクオン、（２）ミックスセルオン、（３）ミックスセンドセレクトオン、及び（４）リンクオフの４種類ある構成例を示したが、これに限らず、リンク機能の設定値がリンクオンとリンクオフの２種類のみであってもよい。
【００５１】
また、上記図４のフローチャートにおいて、リンク機能の設定値がリンクオンに更新されたときには（ステップＳ２のＹＥＳ）、ミックスセルの設定値にミックスセンドセレクトの設定値を一致させる構成例を示したが、これに限らず、ミックスセンドセレクトの設定値にミックスセルの設定値を一致させる構成であってもよい。また、上記図４の処理例では、リンク機能の設定値がミックスセルオンに更新されたときにはミックスセルの設定値にミックスセンドセレクトの設定値を一致させ、また、ミックスセンドセレクトオンに更新されたときにはミックスセンドセレクトの設定値にミックスセルの設定値を一致させる例を示したが、リンク方向に関わらず固定的にミックスセンドセレクトオン又はミックスセンドセレクトの何れか一方の設定値を他方の設定値に一致させる構成であってもよい。また、上記の点についてユーザが任意に設定できてもよい。
【図面の簡単な説明】
【００５２】
【図１】この発明に係るディジタルミキシング装置の電気的ハードウェア構成の一例を示すブロック図。
【図２】図１に示すミキサの操作パネル構成例を説明するためのブロック図。
【図３】図１に示す信号処理部が実行するミキシング処理のアルゴリズムの一例を説明するためのブロック図。
【図４】「ミックスｃｈ割り当てリンク機能」の設定の動作手順の一例を示すフローチャート。
【図５】ミックスセルキーが操作されたときに実行される処理の手順の一例を示すフローチャート。
【図６】ミックスセンドセレクトキーが操作されたときに実行される処理の手順の一例を示すフローチャート。
【符号の説明】
【００５３】
１００  ミキサ、１  ＣＰＵ  ２  フラッシュメモリ、３  ＲＯＭ、４  波形入出力インターフェース、５  信号処理部、６  レコーダ、７  表示器、８  電動フェーダ、９  操作子、１０  その他インターフェース、１１  インプットチャンネルセクション、１２  エンコーダモードセクション、１３  ミックスセクション、１４  セレクテッドｃｈセクション  １５  カーソルセクション、３０  アナログ入力ポート、３１  ディジタル入力ポート、３２  入力パッチ、３３  入力チャンネル、３４  ミックスバス、３５  センドレベル調整部、３６  ミックスｃｈ、３７  出力パッチ、３８  アナログ出力ポート、３９  ディジタル出力ポート
【図１】
2008211745.tif 000003
【図２】
2008211745.tif 000004
【図３】
2008211745.tif 000005
【図４】
2008211745.tif 000006
【図５】
2008211745.tif 000007
【図６】
2008211745.tif 000008